【手続補正書】
【提出日】平成28年3月16日(2016.3.16)
【手続補正１】
【補正対象書類名】明細書
【補正対象項目名】全文
【補正方法】変更
【補正の内容】
【発明の詳細な説明】
【発明の名称】電子広告表示システム
【技術分野】
【０００１】
この発明は、電子広告表示システムに関し、特に例えば医院，理・美容院等の多数の人が集まる場所（又は待合所）に設置される案内表示装置を用いて、設置者の本来的な業務案内の表示に併せて、設置地域の近くの商品販売店又は役務提供者等の広告主からの電子広告を表示する、電子広告表示システムに関する。
【背景技術】
【０００２】
従来、スーパー等の商品販売店・自動車ディーラ店や、飲食店・フィットネスクラブ・塾等の役務提供者等は、販売に係る多種類の商品や目玉商品を掲載した広告チラシ（紙媒体広告）を、新聞配達店舗に委託して、新聞に折込んで各家庭へ配布している。
【０００３】
また、近年、電子看板や、携帯情報端末に直接送信するような、電子広告が普及しつつある。
電子看板によるものは、人通りの多い駅前周辺のビルの壁面に設置された大型表示装置（プラズマディスプレイ）や、駅構内の壁面又は電車内に設置された液晶表示器等を用いて、電子的に広告を掲載している。このような電子看板を用いた電子広告として、特許文献１の技術が知られている。
携帯電話やスマートフォン等の携帯情報端末を用いた電子広告として、特許文献２の技術が知られている。
【０００４】
一方、内科，小児科，産婦人科，歯科，耳鼻科，皮膚科等の医院や、理容院・美容院等では、業務に関連する案内情報を表示するための案内表示装置が設置されている。
案内表示装置のディスプレイに表示している案内情報には、これらの施設の営業時間・駐車場の案内や、業務に関連する案内情報等がある。より具体的には、医院では健康管理の方法，運動と健康に関する情報や，食品と栄養に関する情報等、歯科医院では歯の手入れ方法等、美容院では頭髪の手入れやお勧めの髪型等の情報等を表示している。
【先行技術文献】
【特許文献】
【０００５】
【特許文献１】特開２０１０−１２８６９４号公報
【特許文献２】特開２００２−２５９７９４号公報
【発明の概要】
【発明が解決しようとする課題】
【０００６】
新聞による折込み広告は、印刷したチラシ広告を新聞配達店舗に委託して、折込んで各家庭へ配布してもらうため、チラシ原稿の編集完了から配達されるまでに時間がかかり、タイムセールや特売等の早期に消費者に知らしめる目的の広告には不向きで、多量のチラシが入る曜日（例えば土日）には他のチラシに埋没して見てもらえないことも多く、印刷・配達のコストの割に宣伝効果が低い。また、新聞を購読していない消費者には見てもらう機会が皆無である。
【０００７】
特許文献１のような電子看板を用いる方法は、広告代理店を通じて広告掲載を申し込む必要があるため、広告主が電子看板の設置場所の状況やそれを見る視聴者のカテゴリーを考慮して、広告を掲載する電子看板を直接かつリアルタイムに選択することができない。しかも、電子看板による電子広告は、不特定多数の通行人を対象とするため、広告内容が企業イメージ広告や清涼飲料の広告等、設置場所の地域とは全く関係の無い広告が多い。
そのため、上述のような電子看板を医院，理・美容院等向けの小規模事業者の案内表示装置として用いても、広告主が広告を見て欲しい客層に絞り込んで宣伝広告することが難しく、期待する程の宣伝効果が得られない。特に、案内表示装置には、医師等の設置者の希望として、表示して欲しくない種類の広告もあり、広告の種類を適切に絞込みできなければ、宣伝広告してもらえない場合もある。
【０００８】
特許文献２の携帯端末を用いて電子広告を送信する方法は、携帯端末所有者に予めメールアドレスを登録してもらう必要があり、携帯端末のメールアドレスを登録していないユーザーに対して電子広告を送信することができない。
【０００９】
この発明の主たる目的は、医院，理・美容院，フィットネスクラブ等の多くの人の集まる場所に設置される案内表示装置を広告媒体として宣伝広告する際に、広告主自身が電子広告を見て欲しい客層（ターゲット層）を適切に絞り込むことができ、効率的な宣伝広告を行うことができる、電子広告表示システムを提供することである。
【００１０】
この発明の他の目的は、広告主の近くの医院，理・美容院等の多くの人の集まる場所に設置される案内表示装置を用いて、新聞の折り込み広告よりも宣伝効果が高く、コストパフォーマンスに優れた宣伝広告を行なうことのできる、電子広告表示システムを提供することである。
【００１１】
この発明のその他の目的は、携帯端末等のメールアドレスを登録していない人や携帯端末を所有していない人に対しても、地域に関連する電子広告を行うことができる、電子広告表示システムを提供することである。
【００１２】
この発明のさらにその他の目的は、広告主が客層に合った絞込み条件（例えば、設置者の業種と地域の少なくとも１つ）を指定することにより、広告主の近くの医院や理・美容院等に設置される案内表示装置を利用して宣伝効果の高い電子広告を行なうことのできる、電子広告表示システムを提供することである。
【課題を解決するための手段】
【００１３】
第１の発明の電子広告表示システムは、少なくとも、電子広告配信装置（実施例との対応関係を示せば図１の１０；以下括弧内符号は同様）と、ネットワークを介して接続される複数の広告主端末装置（図１，図２の２０Ａ〜２０Ｎ）および複数の案内表示装置（図１，図３の３０ａ〜３０ｍ）とから構成され、複数の案内表示装置を利用して不特定多数の広告主から依頼された電子広告を各案内表示装置に表示させるものである。
複数の案内表示装置のそれぞれは、多数の人達が集まる複数の場所（又は待合所）に設置されかつ設置者に関連する案内情報を表示するためのものであって、第１の表示手段（３４）と、第１の記憶手段（３３１）と、第２の記憶手段（３３２）と、第１の処理手段（３１）とを備える。第１の表示手段は、表示情報を表示する。第１の記憶手段は、設置者に関連する案内情報を記憶する。第２の記憶手段は、配信された（又は受信した）電子広告情報を記憶する。第１の処理手段は、第１の記憶手段に記憶されている案内情報および第２の記憶手段に記憶されている電子広告情報のうちの少なくとも一方を第１の表示手段に供給して表示させる。
複数の広告主端末装置のそれぞれは、操作手段（２３）と、第２の表示手段（２４）と、第２の処理手段（２１）とを備える。操作手段は、その操作によって、複数の案内表示装置のうち、電子広告を表示させたい広告先となる少なくとも１つの案内表示装置を選択する。第２の表示手段は、広告先の選択に関する広告先関連情報（例えば、設置者の業種情報，地域情報，広告枠の空き情報等を含む上位概念）を表示する。第２の処理手段は、操作手段によって入力された広告先の選択に関する情報（例えば、業種，地域又は距離等の地理的条件，表示時間，回数等）を、ネットワークを介して電子広告配信装置へ送信するとともに、電子広告配信装置から送信された広告先を選択する際に参照される参照情報（例えば、設置者の業種情報，地域情報，広告枠空き情報等）を第２の表示手段に表示させる。
電子広告配信装置は、第３の記憶手段（図１の設置者情報記憶部１２４）と第４の記憶手段（広告主別フォルダ１２１）と第５の記憶手段（送信先別フォルダ１２２）と第３の処理手段（ＣＰＵ１１）とを備える。第３の記憶手段は、設置者別に、少なくとも設置者の名称と業種と地域に関連する情報ならびに広告枠（又は広告枠空き情報）を記憶する。第４の記憶手段は、複数の広告主のそれぞれに対応する記憶領域を含み、各広告主の電子広告情報を対応する記憶領域に記憶する。第５の記憶手段は、複数の案内表示装置のそれぞれに対応する記憶領域を含み、各案内表示装置へ配信すべき電子広告情報を対応する記憶領域に記憶する。第３の処理手段は、少なくとも、ネットワークを介して複数の広告主端末装置または複数の案内表示装置との間で送受信する情報を処理するとともに、第５の記憶手段に記憶されている少なくとも電子広告情報を送信先となる案内表示装置へ送信処理する。
【００１４】
第１の発明によれば、広告主が電子広告を見て欲しい客層（ユーザー層）に絞って効率よく宣伝広告を行うことができる、電子広告表示システムが得られる。
【００１５】
第２の発明の電子広告表示システムは、第１の発明において、各広告主端末装置の第２の処理手段は、操作手段の操作によって設置者を絞込むための条件として設置者の業種と地理的条件（地域又は距離）のうちの少なくとも１つを指定する絞込み条件情報が入力されたとき、当該絞込み条件情報を電子広告配信装置へ送信する。
電子広告配信装置の第３の処理手段は、或る広告主端末装置から絞込み条件情報が送信されたとき、当該絞込み条件情報に基づいて、第３の記憶手段に記憶されている複数の設置者の中から広告枠の空きがありかつ当該絞込み条件情報に含まれる１つ以上の設置者名を選択して、当該設置者名を当該広告主端末装置へ送信する。
第２の発明によれば、広告主が設置者の業種と地理的条件のうちの少なくとも１つを指定して絞込み条件を決めることができ、電子広告を見て欲しい客層（ユーザー層）のいると思われる設置者の案内表示装置に絞って効率よく宣伝広告を行うことができる。
【００１６】
第３の発明の電子広告表示システムは、第２の発明において、広告主端末装置の第２の処理手段は、受信した設置者名を第２の表示手段に表示させ、操作手段の操作によって１つ以上の設置者名が選択されたことに応答して、当該選択された設置者名を電子広告配信装置へ送信する。
電子広告配信装置の第３の処理手段は、或る広告主端末装置から選択された設置者名が送信されたとき、当該広告主に対応して第４の記憶手段に記憶されている電子広告情報を第５の記憶手段の当該設置者に対応する記憶領域へ複製し、各広告主端末装置による送信先の選択が完了した後に、第５の記憶手段のそれぞれの送信先別の記憶領域に記憶されている各広告主の電子広告情報を対応する案内表示装置へ送信する。
複数の案内表示装置のうちの電子広告情報を受信した案内表示装置の第１の処理手段は、受信した電子広告情報を第２の記憶手段へ書込む。
【００１７】
第４の発明の電子広告表示システムは、第２の発明において、広告主端末装置の第２の処理手段は、受信した設置者名を第２の表示手段に表示させ、操作手段の操作によって１つ以上の設置者名が選択されたことに応答して、当該選択された設置者名を電子広告配信装置へ送信する。
電子広告配信装置の第３の処理手段は、或る広告主端末装置から選択された設置者名が送信されたとき、当該広告主に対応して第４の記憶手段に記憶されている電子広告情報を示す検索情報として第５の記憶手段の当該設置者に対応する記憶領域へ記憶させ、各広告主端末装置による送信先の選択が完了した後に、第５の記憶手段のそれぞれの送信先別の記憶領域に記憶されている各広告主の電子広告情報の検索情報が示す第４の記憶手段の各広告主の電子広告情報を対応する案内表示装置へ送信する。
複数の案内表示装置のうちの電子広告情報を受信した案内表示装置の第１の処理手段は、受信した電子広告情報を第２の記憶手段へ書込む。
【００１８】
第５の発明の電子広告表示システムは、第１の発明において、各広告主端末装置の操作手段がその操作によって、設置者の絞込み条件として地理的条件を入力するものである。各広告主端末装置の第２の処理手段は、各広告主端末装置の操作手段の操作によって設置者の地理的条件（地域又は距離）が入力されたとき、当該地理的条件を電子広告配信装置へ送信する。
電子広告配信装置の第３の処理手段は、或る広告主端末装置から地理的条件が送信されたとき、当該地理的条件に基づいて、第３の記憶手段に記憶されている設置者の中から広告枠の空きがあり、地理的条件に含まれる地域内の１つ以上の設置者名を抽出して、当該設置者名及び当該設置者の地域情報を当該広告主端末装置へ送信する。
広告主端末装置の第２の処理手段は、受信した当該設置者名及び地域情報を第２の表示手段に表示させる。
第５の発明によれば、ターゲット層の絞込み条件として地理的条件を用いることにより、広告主が設置者との地理的関係を選択して、地域の状況に則した宣伝広告を行うことができる。
【００１９】
第６の発明の電子広告表示システムは、第５の発明において、電子広告配信装置が広告主と設置者の位置関係を示す地図情報を記憶する第６の記憶手段をさらに含む。
第３の処理手段は、設置者の地域情報に基づいて第６の記憶手段に記憶されている地図情報の中から広告主および設置者を含む範囲の一部地域の地図情報を抽出し、１つ以上の設置者名及び一部地域の地図情報を当該広告主端末装置へ送信する。
広告主端末装置の第２の処理手段は、地図上に、受信した設置者の位置を第２の表示手段に表示させる。
第６の発明によれば、設置者の所在地を地図上に表示しているので、広告主が自己との地理的関係を考慮して設置者の選択を容易に行うことができる。
【００２０】
第７の発明の電子広告表示システムは、第１の発明において、各広告主端末装置の第２の処理手段が、操作手段の操作によって設置者の絞込み条件として業種を指定する業種指定情報が入力されたとき、当該業種指定情報を電子広告配信装置へ送信する。
電子広告配信装置の第３の処理手段は、或る広告主端末装置から設置者の業種指定情報が送信されたとき、当該設置者の業種指定情報に基づいて、第３の記憶手段に記憶されている設置者情報の中から広告枠の空きがあり、業種指定情報に含まれる業種に対応する１つ以上の設置者を抽出して、当該設置者名を当該広告主端末装置へ送信する。
広告主端末装置の第２の処理手段は、受信した当該設置者名を第２の表示手段に表示させる。
第７の発明によれば、広告主が設置者の業種に基づいて広告する設置者を選択でき、ターゲット層の顧客に絞り込んだ宣伝広告を行える。
【００２１】
第８の発明の電子広告表示システムは、第１ないし第６の発明において、電子広告配信装置が広告主別に、少なくとも広告主の名称と業種と地域に関する情報を記憶する第７の記憶手段をさらに備える。
第３の記憶手段が設置者別に電子広告を拒否する広告主の業種情報をさらに記憶する。
電子広告配信装置の第３の処理手段は、或る広告主端末装置から業種指定情報が送信されたとき、第７の記憶手段に記憶されている広告主別の業種情報を参照して、当該業種指定情報に含まれる業種の１つ以上の設置者名を選択する際に、広告主の業種情報が第３の記憶手段に記憶されている設置者別の電子広告を拒否する業種情報と一致するか否かを判断し、一致したとき広告先の選択対象から当該設置者を除外する処理を行う。
第８の発明によれば、設置者が広告を表示したくない（又は拒否したい）広告主の業種を選択でき、設置者の意に沿わない広告を排除できる。
【００２２】
第９の発明の電子広告表示システムは、第１の発明において、電子広告配信装置の第３の処理手段が、或る広告主端末装置から電子広告を表示すべき設置者を選択する情報が送信されたとき、第３の記憶手段に記憶されている当該設置者に対応する広告枠情報を所定数だけ減分して、広告枠空き情報として更新記憶させる。
第９の発明によれば、広告枠の空き情報を電子広告配信装置側で管理することができ、広告枠数を超える選択を防止できる。
【００２３】
第１０の発明の電子広告表示システムは、第１の発明において、電子広告配信装置の第３の処理手段が、各広告主端末装置による送信先の選択が完了した後に、第５の記憶手段の各記憶領域に記憶されている各案内表示装置へ配信すべき１つ以上の広告主の電子広告情報に基づいて、それぞれの案内表示装置において当該電子広告の広告番号と表示させたい時間帯を指定する広告スケジュールを作成して、当該案内表示装置に対応する記憶領域に記憶させ、各記憶領域に記憶されている案内表示装置別の電子広告情報と広告スケジュールを対応する案内表示装置へ送信する。
第１０の発明によれば、電子広告配信装置側で各案内表示装置別の広告スケジュールを作成することができ、案内表示装置側の表示スケジュールの管理が容易となる。
【００２４】
第１１の発明の電子広告表示システムは、第１０の発明において、複数の案内表示装置のうちの電子広告情報を受信した案内表示装置の第１の処理手段が、受信した広告スケジュールと、第１の記憶手段に記憶されている案内情報の表示時間の長さに基づいて、案内情報と１つ以上の電子広告情報とを組み合わせて表示する際の表示スケジュールを作成し、作成した表示スケジュールに基づいて第１の記憶手段と第２の記憶手段の読出しタイミングを制御して、表示スケジュールに則して案内情報と電子広告情報を第１の表示手段に供給する。
第１１の発明によれば、各案内表示装置が広告スケジュールに基づいて表示スケジュールを作成しているので、広告枠の範囲で効率的な電子広告を表示でき、設置者にとっては広告費の増収を図ることができる。
【００２５】
第１２の発明の電子広告表示システムは、第１の発明において、操作手段が、その操作によって、絞り込まれた設置者別の複数の電子広告を表示すべき広告時間帯を指定するものである。
各広告主端末装置の第２の処理手段は、操作手段の操作によって絞り込まれた設置者別の広告時間帯を、第２の表示手段に表示させるとともに、電子広告配信装置へ送信して第５の記憶手段に登録されている各案内表示装置へ配信すべき複数の電子広告情報に関連して登録させる。
電子広告配信装置の第３の処理手段は、第５の記憶手段に登録されている各案内表示装置別の複数の電子広告情報と当該電子広告情報を表示すべき広告時間帯情報に基づいて、各案内表示装置別の広告スケジュールを作成し、当該広告スケジュールと少なくとも１つの電子広告情報とを対応する案内表示装置へ送信する。
各案内表示装置の第１の処理手段は、受信した広告スケジュールに基づいて表示すべき広告時間であって表示すべき電子広告情報を第１の表示手段に表示させる。
第１２の発明によれば、広告主は設置者別の複数の電子広告を表示すべき広告時間帯を指定することができる。
【００２６】
第１３の発明の電子広告表示システムは、第７の発明において、操作手段が第２の表示手段に表示された１つ以上の設置者の中から、電子広告の配信対象となる１つ以上の設置者を指定するとともに、指定した設置者別の広告時間を指定するものである。
各広告主端末装置の第２の処理手段は、操作手段によって配信対象となる設置者が指定されかつ広告時間が指定される毎に、広告料金を計算して、当該広告料金を第２の表示手段に表示させる。
第１３の発明によれば、広告主にとっては宣伝広告の予算枠を考慮しつつ配信先を選択することができ、宣伝広告予算の超過を招くことを防止できる。
【発明の効果】
【００２７】
この発明によれば、医院，理・美容院，フィットネスクラブ等の多くの人の集まる場所に設置される案内表示装置を広告媒体として宣伝広告する際に、広告主自身が電子広告を見て欲しい客層（ターゲット層）を適切に絞り込むことができ、効率的な宣伝広告を行うことができる、電子広告表示システムが得られる。
【００２８】
また、この発明によれば、広告主の近くの医院，理・美容院等の多くの人の集まる場所に設置される案内表示装置を用いて、新聞の折り込み広告よりも宣伝効果が高く、コストパフォーマンスに優れた宣伝広告を行なうことができる。
【００２９】
また、携帯端末等のメールアドレスを登録していない人や携帯端末を所有していない人に対しても、地域に関連する電子広告を行うことができる。
【００３０】
さらに、広告主が近くの医院や理・美容院等に設置される案内表示装置の設置者の業種及び／又は自己の所在地と案内表示装置の設置場所との地理的関係を考慮して、客層に合った絞込み条件（検索条件）を指定して、電子広告を表示する案内表示装置（設置者）を選択できるので、電子広告の配信先を適切に絞り込むことができ、宣伝効果をより一層高くすることができる。
【図面の簡単な説明】
【００３１】
【図１】この発明の一実施例の電子広告表示システムの全体及び電子広告配信装置の詳細なブロック図である。
【図２】広告主情報記憶部の詳細図である。
【図３】設置者情報記憶部の詳細図である。
【図４】広告主情報記憶領域および設置者情報記憶領域のメモリマップの図解図である。
【図５】広告主端末装置のブロック図である。
【図６】案内表示装置のブロック図である。
【図７】この発明の一実施例の電子広告表示システムの一連の処理の概要を説明するためのシーケンス図である。
【図８】広告主端末装置における広告対象選択画面の表示例を示す図である。
【図９】広告主端末装置における広告配信決済画面の表示例を示す図である。
【図１０】案内表示装置によって作成される表示スケジュールの図解図である。
【図１１】電子広告配信装置のメインルーチンのフローチャートである。
【図１２】広告主端末装置のＤＳ選択処理のフローチャートである。
【図１３】電子広告配信装置のＤＳ検索処理のサブルーチンフローチャートである。
【図１４】広告主端末装置の広告配信決済のサブルーチンフローチャートである。
【図１５】電子広告配信装置の広告スケジュール作成処理のサブルーチンフローチャートである。
【図１６】電子広告配信装置の振分処理の詳細を示すサブルーチンフローチャートである。
【図１７】案内表示装置の電子広告ダウンロード処理および表示制御処理のフローチャートである。
【発明を実施するための形態】
【００３２】
図１において、この発明の一実施例の電子広告表示システムは、１つの電子広告配信装置１０と複数の広告主端末装置２０と複数の案内表示装置（又は業務案内表示装置）３０とから構成される。
電子広告配信装置１０には、パソコン，タブレット又はスマートフォン等の複数台の広告主端末装置２０Ａ〜２０Ｎ及び複数台の案内表示装置（図示では、Ｄｉｇｉｔａｌ  Ｓｉｎａｇｅの略の「ＤＳ」と示すが、実施例でも「ＤＳ」と略記することもある）３０ａ〜３０ｍがインターネット等のネットワークを介して接続される。
【００３３】
電子広告配信装置１０は、広告主が広告主端末装置２０Ａ〜２０Ｎを操作して選択した案内表示装置３０ａ〜３０ｍに対して、各広告主別の電子広告を配信するものであって、配信サーバーとして働く。電子広告配信装置（以下「配信サーバー」と略称することもある）１０は、中央処理ユニット（以下「ＣＰＵ」と略称する）１１と、大容量の不揮発性のメモリ１２と、ＲＯＭ又はフラッシュメモリ等のプログラム記憶用メモリ１３と、処理データを一時記憶するＲＡＭ１４と、送受信部１５と、インターフェース（Ｉ／Ｏ）１６とを含んで構成される。インターフェース１６には、キーボード１７と液晶表示器１８が接続される。送受信部１５は、ルーター等のモデムであって、インターネットに接続される。
【００３４】
具体的には、ＣＰＵ１１は、プログラムに基づいて後述の図１１，図１４，図１５，図１６のフローチャートの処理を実行するものである。例えば、ＣＰＵ１１は、広告主端末装置２０Ａ〜２０Ｎ及び／又は案内表示装置３０ａ〜３０ｍ（後述の設置者ＰＣ４２を含む）から送信される各種情報をメモリ１２に書込み、後述のＤＳ選択処理や電子広告の振分処理等を行うとともに、送受信部１５，インターネットを介して広告主端末装置２０Ａ〜２０Ｎまたは案内表示装置３０ａ〜３０ｍと通信を行う際の情報処理・通信制御を行う。
【００３５】
不揮発性メモリ１２は、ハードディスク又は半導体フラッシュメモリ等の書込み可能な不揮発性のメモリであって、複数の大容量の記憶領域を有し、各記憶領域が広告主別フォルダ１２１，送信先別フォルダ１２２，広告主情報記憶部１２３，設置者情報記憶部１２４，地図情報記憶部１２５および設置者別表示履歴記憶部１２６として用いられる。なお、これらの記憶領域１２１〜１２６は、ハード的に独立した記憶媒体で構成してもよい。
【００３６】
次に、図１〜図４を参照して、広告主別フォルダ１２１，送信先別フォルダ１２２，広告主情報記憶部１２３および設置者情報記憶部１２４に記憶される各種情報の詳細を説明する。
まず、図１及び図２において、広告主別フォルダ１２１は、広告主端末装置２０Ａ〜２０Ｎに対応する記憶領域１２１Ａ〜１２１Ｎを有し、各広告主端末装置２０Ａ〜２０Ｎから送信される広告主別の電子広告情報及び表示のための広告スケジュール等の情報を記憶するものである。ここで、電子広告情報は、静止画の画像ファイル，動画ファイル，テキスト等のデータ形式であって、広告主の任意の形式に選ばれる。
【００３７】
広告主別フォルダ１２１に含まれる各記憶領域１２１Ａ〜１２１Ｎに記憶される電子広告情報の一例が、図２に詳細に示される。すなわち、各記憶領域１２１Ａ〜１２１Ｎは、広告の単位時間内となるように編集された複数の広告番組（又は広告プロジェクト）１〜広告ｎを記憶可能な領域と、広告スケジュール領域を含む。広告番号１〜ｎの各広告番組は、コンテンツとコンテンツ情報を含む。コンテンツは、広告の内容が画像，動画，テキスト又は音声の何れかの形式で作られる。コンテンツ情報には、コンテンツの表示タイプ（画像，動画，テキスト又は音声）の区別と表示時間が含まれる。
広告スケジュール領域には、どのＤＳに対して、広告番組１〜ｎのうちのどの番組をどの曜日のどの時間帯に表示すべきかを定める広告スケジュールが登録される。図２の広告スケジュールは、広告主から見たスケジュールであって、下方の表に示すように、広告主によって選択されたどのＤＳ（又は設置者）に対して、どの広告番号の広告コンテンツを、いつの日時（曜日と開始時刻又は時間帯）に、何回表示するか（表示回数）に基づいて、ＣＰＵ１１によって作成される。この広告スケジュールは、医院や理・美容院等の設置者の診療日又は営業日（曜日）の診療又は営業時間の各時間帯別に、どの広告番号の電子広告を表示するかの一例を示している。
なお、「＊」印の広告番組（例えば広告開始時刻１６時の行）は、広告主がタイムセールを行う際に、所定時間前（配信のＴ分前）に、電子広告の内容を当該タイムセールに併せた内容に書換える場合を示している。
【００３８】
図１及び図３において、送信先別フォルダ１２２は、ＤＳ３０ａ〜３０ｍに対応する複数の記憶領域１２２ａ〜１２２ｍを有し、各ＤＳ３０ａ〜３０ｍへ送信すべき１又は２以上の広告主の電子広告情報を格納するものである。
これらの送信先別フォルダ１２２の各記憶領域１２２ａ〜１２２ｍには、広告主別フォルダ１２１の各記憶領域１２１Ａ〜１２１Ｎに登録されている広告主別の電子広告情報が、広告振分処理の際（又はモード）に、広告主による広告主端末装置２０Ａ〜２０Ｎの操作による選択に基づいて、広告主の希望する設置者（又はＤＳ）に対応する記憶領域１２２ａ〜１２２ｍに書き込まれる。結果的に、広告主別の電子広告情報の複製物が、広告主の広告したい設置者のＤＳ３０ａ〜３０ｍに対応する記憶領域１２２ａ〜１２２ｍに書き込まれて、複製されることになる。
【００３９】
なお、広告振分処理タイミングにおいて、記憶領域１２１Ａ〜１２１Ｎに登録されている広告主別の電子広告情報そのものの情報を、選択されたＤＳに対応する記憶領域１２２ａ〜１２２ｍへ複製するのに代えて、次のように処理してもよい。すなわち、どの電子広告情報を送信すべきかを表すインデックスを記憶領域１２２ａ〜１２２ｍに書込み、配信処理タイミングにおいて各ＤＳに対応する記憶領域１２２ａ〜１２２ｍに記憶されているインデックスを参照して、送信すべき電子広告情報を広告主別の記憶領域１２１Ａ〜１２１Ｎから読み出して、対応するＤＳへ送信するようにしてもよい。
【００４０】
送信先別フォルダ１２２に含まれる各記憶領域１２２ａ〜１２２ｍに書き込まれる電子広告情報の一例が、図３に詳細に示される。すなわち、各記憶領域１２２ａ〜１２２ｍは、ＤＳ３０ａ〜３０ｍ（又は各設置者）に対応するものであって、複数の広告主ＳＡ〜ＳＮ（又はＮよりも少ない複数）別の電子広告情報を記憶する領域と、広告スケジュール領域を含む。１つの広告主の電子広告情報を記憶する領域は、１つまたは複数の広告番組（広告プロジェクト）につき、コンテンツとコンテンツ情報を含む。コンテンツは、広告の内容が画像，動画，テキスト又は音声の何れかの形式で作られる。コンテンツ情報には、コンテンツの表示タイプ（画像，動画，テキスト又は音声）の区別と表示時間が含まれる。
【００４１】
図３の広告スケジュール領域には、広告主ＳＡ〜ＳＮ別の広告番組１〜ｎをどの広告スロットに割り当てるかを指定するための広告スケジュールが登録される。送信先別フォルダ１２１側の広告スケジュールは、送信先（ＤＳ）から見たスケジュールであって、図３下方の表に示すように、広告スロット（以下「スロット」と略称）と広告番号との関係を定めるものである。すなわち、広告スケジュールは、スロット０１〜１０のうちのどの広告枠に、どの広告主のどの種類の電子広告を表示すべきかの広告番号を記憶させる。
広告スロットは、各ＤＳ３０ａ〜３０ｍのそれぞれ表示する固有の本来的な案内情報の合間に、電子広告を挿入する広告枠の番号（図示では０１〜１０）をいう。例えば、図３の例では、スロット「００」〜「１０」の１スロット期間にそれぞれ３本の広告枠があり、スロット「００」において広告主ＳＡの１種類目の広告「Ａ−１」と広告主ＳＢの１種類目の広告「Ｂ−１」と広告主ＳＣの４種類目の広告「Ｃ−４」を表示させるスケジュールを示している。
なお、スロット「０１」〜「１０」において表示すべき広告番号は、図示のとおりであり、その説明を省略する。
【００４２】
図１及び図４において、広告主情報記憶部１２３には、広告主情報として、広告主名（又は名称），住所（又は地域名），業種情報および広告主端末装置（２０Ａ〜２０Ｎの何れか）の機器識別番号が登録される。ここで、広告主の業種情報は、設置者が電子広告の表示を希望しない又は広告を拒否したい広告主の業種を指定している場合に、各広告主の電子広告情報の送信の可否を判断するために用いられる。そのため、この実施例でいう「業種情報」とは、例えば日本産業分類の小分類および／または細分類に示す事業者の業種をいうが、小・細分類に広告主の適切な業種がない場合は小・細分類に準じて適宜定めてもよい。
【００４３】
設置者情報記憶部１２４には、設置者情報として、設置者名（又は名称），住所（又は地域名），業種情報およびＤＳ（３０ａ〜３０ｍの何れか）の機器識別番号（インターネットを経由して配信サーバーに接続される場合はＩＰアドレス等）が登録される。ここで、設置者の業種情報は、広告主が電子広告を表示したい設置者（すなわち送信先）を選択する際に利用される。この実施例でいう「業種情報」とは、例えば日本産業分類の小分類および／または細分類に示す事業者の業種（狭義の業種）をいうが、小・細分類に設置者の適切な業種がない場合は小・細分類に準じて適宜定められる。
例えば、ＤＳ３０ａ〜３０ｍを設置する可能性の高い業種としては、医療業（中分類）の一般診療所（小分類の名称／いわゆる医院）や、生活関連サービス業である理容業，美容業（小分類；営業店舗は理容院・美容院）や、宿泊業のホテルや、娯楽業のフィットネスクラブ等が考えられる。
しかし、医院の場合、小・細分類の「一般診療所」では広告主がターゲット層とする顧客と共通する業種かどうかの判断が困難なため、これに代えて診療科目（小児科，内科，産婦人科，整形外科，眼科等）の名称を業種情報として用いることとする。
【００４４】
さらに、設置者情報記憶部１２４には、広告枠情報と、広告を拒否する又は広告を表示したくない広告主の業種情報（すなわち拒否業種情報）が登録される。広告枠情報は、ＤＳ３０ａ〜３０ｍの設置者が自己の案内情報を表示する時間帯でない時間枠に、どれだけの電子広告の表示を許容するかを指定するものであって、所定時間（例えば１時間）当たりの広告スロット数又は広告時間を示す。拒否業種情報は、設置者にとって案内情報の視聴者となる顧客又は患者の年齢層や健康状態等を考慮して、宣伝広告を見せることを回避したい業種の広告を指定する情報である。
【００４５】
次に、広告主の業種と設置者の業種の顧客の共通性（又は密接な関連性）を考慮して、広告主が宣伝効果の高いと考える設置者の業種と、設置者が電子広告の表示をしたくない又は拒否したいと考える広告主の業種について考察する。
例えば、設置者が医院の場合において、診療科目と広告主の業種の顧客の共通性（又は密接な関連性）を考察すると、子供服，おもちゃ，文具等の販売店又は学習塾の役務提供者である広告主は、宣伝効果の高い業種として、小児科のＤＳに電子広告を表示（掲載）することを希望するであろう。同様に、ベビー用品・ミルクの販売者（広告主）は産婦人科、スポーツ用品の販売者又はフィットネスクラブの役務提供者は整形外科、眼鏡・コンタクトレンズの販売者は眼科のＤＳに電子広告を行うことが想定される。
医院以外の業種では、ヘア用品の広告主は理・美容院、スポーツ用品・スポーツドリンクの広告主はフィットネスクラブ、土産物店や交通機関の広告主はホテル・旅館向けの電子広告を希望することが想定される。
一方、設置者が拒否する広告主の業種（又は広告商品の種類でも可）を検討すると、小児科や産婦人科は酒類・タバコの販売者・販売店の広告又はパチンコホール等の遊技場の広告を拒否することが想定される。
このように、設置者の業種は広告主が広告先を選択する際の参考とされ、広告主の業種は設置者が広告を拒否する際の参考とされる。
【００４６】
次に、図５を参照して、広告主端末装置２０Ａ〜２０Ｎの構成を説明する。広告主端末装置２０Ａ〜２０Ｎのそれぞれは、処理ユニット２１とメモリ２２とキーボード又はタッチパネル等の入力部（操作手段）２３と液晶表示器２４とから構成される。
また、処理ユニット２１には、有線又は無線によるＬＡＮ（ローカルエリアネットワーク）２５を介して有線又は無線のルーター（又はモデム）２６が接続される。ルーター２６はインターネット等のネットワークを介して配信サーバー１０に接続される。
【００４７】
具体的には、処理ユニット２１は、各種演算処理又は制御を行うための中央処理ユニット（以下「ＣＰＵ」という）２１１と、液晶表示器２４に表示させる画像を生成するための画像処理ユニット２１２と、ＲＡＭ２１３とを含む。
ＣＰＵ２１１は、プログラムに基づいて後述の図１２および図１４のフローチャートの処理を実行するものであって、例えば操作入力部２３からの入力に基づく処理および画像処理ユニット２１２を制御して液晶表示器２４に表示する情報を処理（又は生成）するとともに、ＬＡＮ２５，ルーター２６を介して配信サーバー１０と通信を行う際の情報処理ならびに通信制御を行う。
画像処理ユニット２１２は、ＣＰＵ２１１の制御の下で、後述の図８及び図９に示す広告先となるＤＳを選択するための画面（これを「ＤＳ選択画面」という）及び配信決済画面を表示するための画像情報を生成し、液晶表示器２４に供給して表示させる。
【００４８】
メモリ２２は、ハードディスク又はフラッシュメモリ等の書込み可能な不揮発性メモリであって、プログラム記憶領域２２１，地図データ記憶領域２２２，検索結果格納領域２２３，広告配信対象リスト記憶領域２２４および電子広告情報格納領域２２５を含む。
プログラム記憶領域２２１は、広告主端末装置２０Ａ（〜２０Ｎ）の処理、すなわち図１２，図１４に示すフローチャートの処理を実行するためのプログラムを記憶している。このプログラム記憶領域２２１は、メモリ２２とは独立した読出専用メモリ（ＲＯＭ）で構成してもよい。
【００４９】
地図データ記憶領域２２２は、配信サーバー１０から送信され、広告主と設置者の位置関係を一部地域の地図上に表示するための、広告主と設置者の位置関係を示す地図データを記憶している。この地図データは、図８に示すように、広告主が設置者（送信先）を選択する際に液晶表示器２４に表示されて、広告主による送信先の選択を容易にするために利用される。
検索結果格納領域２２３は、広告主の選択した絞込み条件に基づいて、配信サーバー１０が検索を行ったときに、当該検索結果を格納する領域である。検索結果格納領域２２３に記憶された検索結果がインターネットを介して送信される。
広告配信対象リスト記憶領域２２４は、広告主が入力部２３を操作して入力した広告配信対象となるＤＳのリストを記憶する領域である。
【００５０】
図６を参照して、案内表示装置（ＤＳ）３０ａ〜３０ｍの構成を説明する。ＤＳ３０ａ〜３０ｍのそれぞれは、処理ユニット３１とプログラムメモリ３２と不揮発性のメモリ３３と液晶表示器３４とＬＡＮ３５とから構成される。この液晶表示器３４は、設置者の顧客又は患者が順番待ちする待ち合い場所（又は待合室）であって、多くの顧客等の向く方向の壁面等に設置される。
また、処理ユニット３１には、有線又は無線によるＬＡＮ（ローカルエリアネットワーク）３６を介して有線又は無線のルーター（又はモデム）４１が接続される。ルーター４１はインターネット等のネットワークを介して配信サーバー１０に接続される。
【００５１】
具体的には、処理ユニット３１は、各種演算処理又は制御を行うための中央処理ユニット（以下「ＣＰＵ」という）３１１と、液晶表示器３４に表示させる画像を生成するための画像処理ユニット３１２と、ＲＡＭ３１３とを含む。
ＣＰＵ３１１は、プログラムに基づいて、後述の図１７のフローチャートに示す処理を実行するものであって、例えば画像処理ユニット３１２を制御して液晶表示器３４に表示する情報を処理（又は生成）するとともに、ＬＡＮ３６，ルーター４１を介して配信サーバー１０と通信を行う際の情報の処理及び通信制御を行う。
画像処理ユニット３１２は、ＣＰＵ２１１の制御の下で、後述の案内コンテンツ記憶領域３３１に記憶されている案内情報及び／又は広告コンテンツ記憶領域３３２に記憶されている電子広告情報から表示画像情報を生成し出力（３４へ供給）して、液晶表示器３４に表示させる。
【００５２】
プログラムメモリ３２は、ＲＯＭ又はフラッシュメモリ等が用いられ、後述の図１７に示すフローチャートの処理を実行するためのプログラムを記憶する。メモリ３３は、フラッシュメモリ又はハードディスク（ＨＤＤ）等の書込み可能な不揮発性メモリであって、案内コンテンツ記憶領域３３１，広告コンテンツ記憶領域３３２，表示スケジュール記憶領域３３３，広告表示履歴記憶領域３３４およびその他の記憶領域３３５を含む。
【００５３】
案内コンテンツ記憶領域３３１には、設置者が設置者パソコン４２を操作して作成した案内情報が書き込まれて登録される。案内情報の他の登録方法として、外部委託により作成された案内情報を記憶するＳＤカード等の記憶媒体３６から読み込むことによって、登録してもよい。ここで、案内情報は、設置者が順番待ちの顧客又は患者へのサービスとして表示する情報であって、設置者の営業方針，好みや業種等によって異なる。
例えば、医院に設置されるＤＳの場合は、営業時間や駐車場の場所等の案内表示に加えて、健康管理の方法，成人病検査の案内，運動と健康に関する情報，食品と栄養に関する情報等である。歯科医院に設置されるＤＳの場合は、歯の手入れ方法や歯周病予防の方法等の案内情報である。理容院・美容院に設置されるＤＳの場合は、営業日・営業時間や頭髪の手入れ，お勧めの髪型等の情報である。フィットネスクラブに設置されるＤＳの場合は、運動と健康の関係，年代別のトレーニング上のアドバイス等の情報である。
【００５４】
広告コンテンツ記憶領域３３２は、配信サーバー１０からインターネットを介して送信された広告主別の電子広告情報を記憶するものであり、定期的に異なる種類（広告主又は同じ広告主の別の広告等）の電子広告情報が送信されることにより、更新的に記憶する。
表示スケジュール記憶領域３３３は、案内情報と電子広告情報をどのような組合せでどのような表示タイプによって表示するかを定めたスケジュールを記憶するものである。表示スケジュールは、案内情報と電子広告情報の表示に先だって、ＣＰＵ３１１が設置者別の広告スケジュールに基づいて作成する。
【００５５】
次に、図１〜図７を参照して、図７のシーケンスに沿って、電子広告表示システムの一連の処理の概要を説明する。
（設置者情報および広告主情報の登録）
案内表示装置（ＤＳ）３０ａ〜３０ｍのそれぞれの設置者は、設置者毎にＤＳ３０ａ〜３０ｍに関連して設けられた自己のパソコン４２を操作して、図４に示すような設置者情報を予め登録しておく。設置者情報は、設置者の名（名称），住所または地域名等の地域情報，業種（又は業種分類）情報，機器識別情報に加えて、広告を拒否したい（又は表示したくない）広告主の業種情報，広告枠情報等である。
なお、広告拒否業種の登録は、設置者自身に限らず、例えば同業者の広告については表示しないようにＤＳ選択することを制限するため、配信サーバー１０の運用者側が同業者を広告拒否業種と定めて、プログラム的に自動で拒否してもよい。
これらの設置者情報は、ルーター４１及びインターネットを介して配信サーバー１０へ送信され、配信サーバー１０の設置者情報記憶部１２４に設置者別に登録（アップロード）される。
一方、広告主は、自己の広告主端末装置（２０Ａ〜２０Ｎの何れか）を操作して、図４に示すような設置者情報を予め登録しておく。広告主情報は、広告主の名（名称），住所または地域名等の地域情報，業種（又は業種分類）情報，機器識別情報であり、必要に応じて広告枠に空きのない設置者に空きの生じた場合の通知のリクエスト等の情報である。
これらの広告主情報は、ＬＡＮ２５，ルーター２６及びインターネットを介して配信サーバー１０へ送信され、配信サーバー１０の広告主情報記憶部１２３に設置者別に登録（アップロード）される。
【００５６】
（広告主別の電子広告情報の登録）
各広告主は、広告主情報の登録に併せて、又はそれとは別に、電子広告情報を登録する。電子広告情報の登録は、広告主が操作入力部２３を操作してＤＳに表示させたい電子広告情報を作成し、それを配信サーバー１０へアップロードすることにより、広告主別フォルダ１２１Ａ〜１２１Ｎの広告主に対応する記憶領域に登録される。
この電子広告情報は、広告主の希望によって、ある期間同一の広告でもよく、日々異なる広告又は時間帯によって異なる広告でもよい。要するに、各広告主が各ＤＳ３０ａ〜３０ｍに表示させたい電子広告を配信サーバー１０へアップロードすることにより、記憶領域１２１Ａ〜１２１Ｎのうちの広告主に対応する記憶領域へ更新的に書き込まれる。
そして、配信サーバー１０が、配信前の所定のタイミングにおいて、各記憶領域１２１Ａ〜１２１Ｎに登録されている電子広告を送信先別フォルダ１２２の各設置者（又はＤＳ）に対応する記憶領域１２２ａ〜１２２ｍに振分けて書き込んでおき、送信タイミングになったときに各記憶領域１２２ａ〜１２２ｍから読み出して対応する各案内装置３０ａ〜３０ｍへ送信する。このときの電子広告情報の送信先は、後述する広告主の操作によって選択された送信先に基づいて行われる。
【００５７】
なお、上述の説明では、広告主（ＳＡ，ＳＢ・・・ＳＮ）別の電子広告情報（広告Ａ，Ｂ・・・Ｎ），広告主情報および設置者情報の登録が、インターネットを介して送信されてアップロードされる場合を説明したが、その他の登録方法として次のような人為的に登録する方法でもよい。
例えば、広告代理店の営業マンが広告主を回って広告掲載の注文を取り、電子広告情報及び広告主情報を格納したＵＳＢ又はＣＤ等の記憶媒体を受領しそれを読み込ませて登録するか、電子広告情報のデータと広告主情報を記載した書類をもらい、営業所に帰ってからこれらのデータを手操作により配信サーバー１０に入力してもよい。
同様に、設置者毎の設置者情報の登録は、広告代理店の営業マンが設置者を回って設置者情報を格納したＵＳＢ又はＣＤ等の記憶媒体を受領しそれを読み込ませて登録するか、設置者情報を記載した書類を受け取り営業所に帰ってこれらのデータを配信サーバー１０に手操作により入力してもよい。
【００５８】
（広告主による送信先ＤＳの選択）
広告主が送信先となるＤＳを選択する場合、当該広告主の広告主端末装置（２０Ａ〜２０Ｎのいずれか）の液晶表示器２４には、ＤＳ選択画面が表示される。
このＤＳ選択画面は、例えば図８（Ａ）に示すように画面を左右に２分割されて、左画面の上部が検索ウインドウ２４１、左画面の下部が地図表示領域２４２とされ、右画面が広告配信対象となるＤＳのリスト表示領域２４３とされる。
検索ウインドウ２４１には、地理的条件を指定する地域情報指定項目と、設置者の業種（又は業種分類）を指定する業種指定項目が表示される。
ここで、地域情報の指定方法は、広告主から設置者までの距離を指定する方法と、地域名称を指定する方法がある。距離を指定する場合は、半径何ｋｍ（又は何百ｍ）以内の設置者のＤＳに広告を掲載するかを指定する。地域名称を指定する場合は、市町村の全域か又は同じ市内の１つ以上の地域名によって指定する。業種の指定は、図４を参照して上述したように、理容院・美容院等の業種の細分類か、医院（一般診療所）の場合であれば「全ての医院」又は診療科目（複数でも良い）を指定することになる。
【００５９】
本願発明では、検索条件は、地理的条件（地域情報）および業種のうちの少なくとも１つを指定するものと定められる。地理的条件のみを指定した場合は、広告主の所在地を中心として選択した距離（例えば、５００ｍ，１ｋｍ，２ｋｍ等）の範囲内か、指定した地域名の範囲内の設置者を選択することにより、広告主の近くの顧客又は患者に電子広告を見てもらえるように絞り込むことができる。また、業種だけを指定した場合は、電子広告のターゲット層の共通する顧客又は患者等に絞り込むことができる。両方を指定して選択することもでき、その場合は近くてターゲット層の共通する顧客又は患者に電子広告を見てもらうことができる。
例えば、スーパーやコンビニ等の販売店又は外食産業の広告は、設置者の業種とターゲット層との関連性が薄いので、地理的条件のみに基づいてＤＳを選択することになる。遊技場の広告や子供用品・赤ちゃん用品の広告は業種に基づいて選択することが有効となる。
【００６０】
上述のように、広告主（図７では、ＳＡを広告主識別番号「１」と表示）が選択した検索条件が広告主端末装置（２０Ａ）から電子広告配信装置（配信サーバー）１０へ送信される。
配信サーバー１０は、設置者情報記憶部１２４に登録されている全設置者の住所と順次比較して、地理的条件に含まれる設置者を抽出するとともに、指定業種に基づいてそれに含まれる業種の設置者（結果的としてＤＳ）を抽出する。そして、配信サーバー１０は、抽出された全ての設置者（ＤＳ）のリストを作成するとともに、抽出された各設置者と当該広告主を地図上に表示できるように、地図情報記憶部１２５から地域地図情報を抜き出して（図示の「広告主１；地図＆リスト生成」の処理）、設置者リストと一部地域を抜粋した地図情報を当該広告主端末装置（２０Ａ〜２０Ｎのいずれか）へ送信する。送信された設置者リストは、検索結果格納領域２２３に記憶され、地域地図情報は地図データ記憶領域２２２に記憶される。
【００６１】
設置者リスト（例えば、設置者別のＤＳ識別番号，設置者名称，業種等）は、リスト表示領域２４３に表示されるとともに、地域地図が地図表示領域２４２に表示される。このとき、広告主と抽出された全ての設置者が、地図上の住所に対応する座標位置に記号で表示される。
図８（Ａ）の例では、四角記号が広告主（Ｓ）を示し、丸記号が指定条件に合致する設置者を示す。なお、設置者の丸記号は、広告枠に空きのある設置者（例えば青色；図示では一点鎖線）と空きのない設置者（灰色；図示では点線）を区別するために、色又は記号の形状（線の種類）等で区別できるようにし、必要に応じて広告枠に空きの生じた設置者に対応する丸記号を一定時間点滅表示させて、広告枠に空きの発生したことを知らせてもよい。
このような、広告主による検索条件の指定と、それに基づく検索結果のリスト及び地域地図情報の送受信が、必要に応じて繰り返される。
【００６２】
検索結果のリストを見た広告主は、設置者の業種および／または広告主の住所又は所在地からの地理的関係を考慮して、広告すべきＤＳ（設置者）の地図上の記号を指定することにより選択する（図示の「ＤＳ選択」）。
選択されたＤＳを示す記号は、その色が変化（例えば選択する前の青色が赤色に変化）する。同時に、リスト表示領域２４３には、選択された設置者の名称に加えて、最大広告時間（広告可能な時間枠）,視聴（設置者の営業又は診療の）時間帯，広告単価，広告時間等が表示され、広告時間をプルダウンによって選択すると、広告料金が表示される。
広告主が複数のＤＳ（設置者）を選択した場合は、「検索」アイコン（又は検索ボタン）を押すと、図８（Ｂ）に示すように、地図表示領域２４２の地図上に選択された複数のＤＳ記号の色が選択を表す色で表示されるとともに、リスト表示領域２４３に複数のＤＳ（設置者）のリストが表示される。そして、リスト表示領域２４３の下方には、複数の設置者のＤＳに電子広告を表示する場合の合計広告料金が表示される。
【００６３】
広告主がＤＳの選択を完了すると、「次」アイコンが選択される。これに応じて、広告主端末装置２０ＡのＣＰＵ２１１は図９に示す広告配信決済画面を作成して、画像処理ユニット２１２が当該画面を液晶表示器２４に表示させる。広告配信決済画面は、例えば図９に示すように画面を左右に２分割されて、左画面が広告配信対象ＤＳリスト表示領域２４４とされ、右画面がＤＳ情報表示領域２４５とされる。
リスト表示領域２４４の下方には、合計広告料金表示欄が表示されるとともに、「戻る」と「確定」のボタン（又はアイコン）が表示される。
「確定」アイコンが選択されると、ＣＰＵ２１１は広告主が選択した広告すべき１または複数の設置者のリストと、広告の数量や視聴時間帯等を指定するための広告スケジュールを作成する。
広告主による選択結果と広告スケジュールが、広告主端末装置２０Ａから配信サーバー１０へ送信される。配信サーバー１０は、広告主の選択結果と広告スケジュールを広告主別フォルダ１２１内の当該広告主に対応する記憶領域に登録する。
上述した広告主による検索条件の指定から選択結果と広告スケジュール（図２の下方の表参照）の送信までの一連の操作・処理が、広告主毎に行われる。
【００６４】
（電子広告配信装置１０による広告主別の電子広告情報の振分処理と送信）
上述のようにして、全ての広告主によるＤＳ（又は設置者）の選択が終了すると、各広告主側の広告スケジュールに基づいて、設置者別の広告スケジュール（図３の下方の表参照）が作成される。
そして、広告主別フォルダ１２１内の広告主別の記憶領域１２１Ａ〜１２１Ｎに登録されている広告主別の電子広告情報がＣＰＵ１１によって振分処理される。
すなわち、ＣＰＵ１１は、広告主別フォルダ１２１の各記憶領域１２１Ａ〜１２１Ｎに記憶されている広告主別の広告スケジュール（図２下部の表を参照）に基づいて、各広告主の電子広告情報が選択された設置者に対応する送信先別フォルダ１２２の記憶領域１２２ａ〜１２２ｍへ複製される。これと同時に、全ての広告主の広告スケジュールを参照して、設置者別の広告スケジュール（図３下部の表を参照）が作成され、当該設置者別の広告スケジュールが対応する記憶領域１２２ａ〜１２２ｍへ書き込まれる。
これによって、広告主別フォルダ１２１内の広告主毎の電子広告情報が送信先別フォルダ１２２内の送信先となるＤＳに対応する記憶領域へ振分けられることになる。
【００６５】
全ての設置者に対応するＤＳへの振分処理が完了した後、所定の送信タイミングになると、送信先別フォルダ１２２の各記憶領域１２２ａ〜１２２ｍに記憶されている電子広告情報及び広告スケジュールが対応するＤＳ３０ａ〜３０ｍに送信される。
【００６６】
（案内表示装置３０ａ〜３０ｍによる表示スケジュールの作成と表示処理）
各ＤＳ３０ａ〜３０ｍは、送信された設置者別の広告スケジュールに基づいて、図１０に示すような表示スケジュールを作成する。表示スケジュールは、一定の表示サイクル（例えば１時間）において、設置者の案内コンテンツと電子広告をどのようなタイムスケジュールで表示するかを決定するものである。
例えば、図１０の例では、ＤＳ１（３０ａ）が表示サイクル（例えば１時間）の１／３の２０分を電子広告の表示に当てることにした場合、４０分の案内コンテンツを番組１〜番組１０に分割して１番組を４分とし、各番組１〜１０の後に２分の広告表示を行うために、スロット００〜０９を割り当てる。そして、スロット００では、広告Ａ−１と広告Ｂ−１を１分間ずつ表示するものとする。次に、番組２の後にスロット０１を割り当て、広告Ｃ−１と広告Ａ−１を１分間ずつ表示するものとする。同様にして、番組３〜１０の後に、スロット０２〜０９を割り当て、どのスロットにどの広告主の電子広告（広告番号）を表示するかを図３に示す広告スケジュールに基づいて定めるために、ＣＰＵ３１１が表示スケジュールを作成する。この表示スケジュールは、画像処理ユニット３１２が番組１〜１０の案内情報とスロット００〜０９の電子広告情報を交互に液晶表示器３４に供給して、案内と電子広告を表示させるためのタイムスケジュールとなる。
同様にして、他のＤＳ３０ｂ〜３０ｍにおいても、表示スケジュールが作成される。
このようにして作成された表示スケジュールに基づいて、各ＤＳ３０ａ〜３０ｍの処理ユニット３１は、予め作成した表示スケジュールに基づいて、案内情報（案内コンテンツ）および電子広告情報（広告コンテンツ）を時分割的に配分して、液晶表示器３４に表示させる。
【００６７】
次に、図１１ないし図１３のフローチャートを参照して、広告主端末装置（例えば２０Ａ）が広告配信対象となるＤＳを選択し、それに応答して配信サーバー１０が広告主端末装置によるＤＳ選択処理を行う場合の詳細な動作を説明する。
なお、広告主端末装置２０Ａの処理は図１２のＳ２１〜Ｓ３３に示され、配信サーバー１０の処理は図１１（メインルーチン）のＳ１〜Ｓ１４及び図１３（配信サーバー側ＤＳ選択サブルーチン）のＳ２０〜Ｓ３５に示されるが、ＤＳ選択に際しての各種情報を相互に送受信して、それぞれ連動しながら実行しているので、両者の連動する処理（時間）の流れに沿って説明することとする。
そして、図１２，図１３のフローチャートには、一方から他方への送受信に関連するステップの横に、矢印記号と対応するステップ番号を示して、相互の関連を分かり易く示している。
【００６８】
（ＤＳ選択前の配信サーバー１０のメインルーチン処理）
ＤＳ選択に先立ち、各広告主は広告端末装置２０Ａ〜２０Ｎの操作入力部２３を操作して広告主情報および電子広告情報を予め登録し、設置者は設置者パソコン４２を操作して設置者情報を予め登録しておく必要がある。これらの広告主情報および電子広告情報は広告主が最初に電子広告を行うときに、設置者情報は設置者が最初にＤＳ３０ａ〜３０ｍを導入したときに、それぞれ登録され、必要に応じて更新される。
この場合の電子広告情報，広告主情報及び設置者情報の登録処理は、配信サーバー１０に含まれるＣＰＵ１１が図１１に示すステップ１〜６を実行することによって行われる。
【００６９】
すなわち、ステップ１（図示では「Ｓ」と略記する）において、新しい広告の登録（又は受信）があったか否かが判断される。新しい広告の登録がある場合は、ステップ２において、新しい広告の電子広告情報が広告主別フォルダ１２１の当該広告主に対応する記憶領域（広告主ＳＡの場合は１２１Ａ）へ登録される。その後又は新広告の登録のない場合は次のステップ３へ進む。
ステップ３において、広告主情報の登録（受信）があるか否かが判断される。広告主情報の登録のある場合は、ステップ４において受信した広告主情報が広告主情報記憶部１２３に登録される。その後又は広告主情報の登録のない場合はステップ５へ進む。
ステップ５において、設置者情報の登録（受信）があるか否かが判断される。設置者情報の登録のある場合は、ステップ６において、受信した設置者情報が設置者情報記憶部１５に記憶される。その後設置者情報の登録がない場合はステップ７へ進む。
ステップ７において、広告主端末装置（例えば２０Ａ）からＤＳ検索問合せがあったか否かが判断される。ある場合は、ステップ４０において広告配信対象ＤＳ検索処理（図１３）が実行される。
続くステップ８において、広告配信開始予定時刻のＸ分前か否かが判断される。配信開始予定時刻Ｘ分前でないことが判断されると、ステップ１へ戻り、ステップ１〜８の動作を繰り返す。
【００７０】
なお、広告主がタイムセール又は本日の特売等の目的で電子広告の内容を書換えた場合は、ステップ１〜８を繰り返しているときに、ステップ１において新しい広告の登録（すなわち書換え）のあったことが判断されて、ステップ２において新しい電子広告の情報（広告番組）が当該広告主の記憶領域に登録される。これによって、広告主にとっては、次の表示サイクルの広告を簡単に差し替えることのできる利点がある。
【００７１】
（広告主による送信先ＤＳの選択とそれに伴う広告主端末装置及び配信サーバーの処理）
次に、前述のステップ１〜８の待機状態において、広告主端末装置からＤＳ検索問合せがあった場合の処理を、図１２，図１３及び図８を参照して説明する。
広告主端末装置２０ＡのＣＰＵ２１１は、ステップ２１において、検索ウインドウ２４１内の検索ボタンが押されたか（アイコンがクリックされたか）否かを判断し、検索ボタンの押されていない状態ではステップ２１で待機している。
この状態において、広告主は、地域条件のみを指定したい場合であれば検索項目「地域」に広告希望の地域情報のみを入力し、業種のみを指定したい場合であれば検索項目「業種」に広告希望の業種情報のみを入力し、地域と業種の両方を指定して絞込みたい場合であれば検索項目「地域」，「業種」に地域情報，業種情報の両方を入力した後、検索ボタンを押す。
検索条件が入力（指定）されかつ検索ボタンが押されたことに応じて、ＣＰＵ２１１がステップ２１においてそのことを判断した後、図１２に示すステップ２２以下の処理を実行する。すなわち、ステップ２２において、検索ウインドウ２４１内で指定された地域条件および／または業種条件の入力情報が読み取られて、入力された検索条件（地域情報および／または業種情報）が配信サーバー１０へ送信される。
【００７２】
これに応じて、配信サーバー１０のＣＰＵ３１１は、ステップ７（図１１）において、何れかの広告主端末装置２０Ａ〜２０ＮからＤＳ検索問合せがあることを判断して、配信対象ＤＳ選択処理サブルーチン４０（図１３）へ進み、図１３に示すステップ４１以下の処理を実行する。
すなわち、ステップ４１において、問合せのあった広告主端末装置（例えば２０Ａ）に対応する広告主情報が広告主情報記憶部２１３から読み出されて、当該広告主の業種，住所（又は所在地）等が取得される。
ステップ４２において、送信された検索条件である地域情報および／または業種情報に基づいて、地域情報の含まれるＤＳ選択地図情報（一部地域地図）が作成される。このＤＳ選択ための地図情報は、広告主の所在地を中心として指定された距離の範囲内に存在するＤＳを表示できる地域の地図情報であり、このような地域地図を地図情報記憶部１２５から切り出す（又は抽出する）ことによって作成される。
作成された地域地図情報（ＤＳ選択マップ）が、ステップ４３において、広告主端末装置２０Ａへ送信される。
【００７３】
広告主端末装置２０Ａ側では、ルーター２６，ＬＡＮ２５を介して受信した地域地図情報がＣＰＵ２１１に取り込まれる。ＣＰＵ２１１は、ステップ２３において、受信した地図情報を画像処理ユニット２１２に与えて、広告主の周辺の地域地図を液晶表示器２４の地図表示領域２４２に表示させる。ステップ２４において、受信情報の中に広告対象となるＤＳを示す情報（ＤＳ識別番号）があるか否かが判断される。当該情報がなければ、ステップ２５において、ＤＳ選択マップのいずれかの位置に「対象ＤＳ無」の表示をした後、ステップ２１へ戻り、次に検索ボタンが操作されるまで待機する。
【００７４】
一方、配信サーバー１０側では、ステップ４４において、検索するＤＳ（始めはＤＳ識別番号「１」の３０ａ）を指定するために、レジスタＲｄ（ＣＰＵ１１の内部レジスタ又はＲＡＭ１４の或る番地）に数値「１」がストアされて、識別番号「１」のＤＳを特定する。そして、設置者情報記憶部１２４に記憶されている当該ＤＳ１の設置者の住所（又は地域名）が読み出される。
ステップ４５において、検索条件の指定が地理的条件（地域）と業種の両方か否かが判断される。両方であれば、ステップ４６において、ＤＳ３０ａの所在地が広告主端末装置２０Ａによって指定された検索対象地域に含まれるか否かが判断される。この判断は、指定された地理的条件が距離であれば、広告主の所在地からＤＳ３０ａの設置場所までの距離が広告主の選択した距離の範囲内か否かを判断することによって行われる。
なお、地域名が指定された場合は、ＤＳの設置場所の地域名が指定された地域に含まれるか否かを判断することになる。地理的条件を満たす場合は、次のステップ４７へ進む。
【００７５】
ステップ４７において、ＤＳ１の設置者の業種が指定された業種に含まれるか否かが判断される。業種が一致すれば、次のステップ４８において、広告主端末装置２０Ａの広告主の業種がＤＳ１（ＤＳ３０ａ）の設置者によって配信拒否された業種と一致しないか否かが判断される。このとき、配信拒否業種が何も指定されていない場合は一致しないものと判断される。
そして、配信拒否業種と一致しない場合は、ステップ４９において、当該ＤＳ１の設置者情報（設置者名，住所，業種）が検索結果リストに追加される。
【００７６】
ところで、検索条件の地域と業種の両方が指定されていない場合は、前述のステップ４５においてそのことが判断されてステップ５０へ進み、検索条件が業種のみか否かが判断される。業種のみ指定された場合は、ステップ４６を行うことなく、ステップ４７へ進み、ステップ４７〜４９の処理が行われる。
また、検索条件として地域のみが指定された場合は、ステップ４５，５０の何れでもないことが判断された後、ステップ５１においてＤＳ１の所在地が検索対象地域に含まれるか否かが判断される。含まれる場合は、ステップ４８，４９の処理が行われる。そして、検索条件に合致したＤＳ１（又は設置者）が検索結果リストに追加された後、ステップ５２へ進む。
【００７７】
次のステップ５２において、ＤＳ１の最大広告時間が０でないか（換言すれば広告枠の空き情報が０より大きく）、広告枠に空きがあるか否かが判断される。広告枠に空きがある場合は、次のステップ５３において当該ＤＳ１に空きのあることを示す色（例えば青色）の情報が追加される。一方、広告枠に空きがない場合は、ステップ５４において、当該ＤＳ１の広告枠に空きのないこと示す色（例えば灰色）の情報が付加される。
その後、ステップ５５において、全てのＤＳのチェックが完了したか否かが判断され、完了していなければステップ５６へ進む。ステップ５６において、レジスタＲｄの値に数値「１」が加算されて、次に検索条件の適否および広告枠の空きの有無を判断するＤＳ（例えば、２番目のＤＳ２）が指定される。
その後、ステップ４６へ戻って、全てのＤＳについて検索条件の適否及び広告枠の空きの有無を判断するために、ステップ４６〜ステップ５６の処理が繰り返される。このようにして、全てのＤＳについて検索条件の適否及び広告枠の空きの有無がチェックされて、その結果がステップ５３において検索結果リストに記録される。
なお、検索結果リストには、広告枠に空きのないＤＳ情報を記載する場合と記載しない場合の何れであっても良い。広告枠に空きのないＤＳ情報を広告主端末装置へ送信しない場合は、ＤＳ選択マップの表示に際して、空きのないＤＳを示す記号の表示が省略される。
【００７８】
一方、ステップ５５において、全てのＤＳ（ＤＳ１〜ＤＳｍ）について、広告主（ＳＡ）の指定した条件を満たしているか否かのチェックが完了したことを判断されると、ステップ５７へ進む。
ステップ５７において、広告対象となるＤＳの検索結果のリストが配信サーバー１０から広告主端末装置２０Ａへ送信される。その後、ステップ１へ戻り、ステップ１〜８を繰り返すことにより、他の広告主の広告主端末装置２０Ｂ〜２０Ｎの何れかから検索問合せがあるまで待機する。
【００７９】
ところで、広告主端末装置２０Ａでは、ステップ２１〜２５の待機中に、配信サーバー１０から検索結果リストが送信され、当該リスト中に広告対象となるＤＳがある場合に、ステップ２４においてそのことが判断されて、ステップ２６へ進む。
ステップ２６において、受信したＤＳ検索結果リストに基づいて、画像処理ユニット２１２が広告対象の候補となるＤＳの設置者情報（設置者名，住所，業種，最大広告時間，視聴時間帯，広告単価；単位時間当たりの単価）をリスト表示領域２４３に表示する。このとき、地図表示領域２４１に表示される地域地図には、広告主の記号（四角）の周囲に、指定した検索条件を満たすＤＳの記号（丸）が色分けされて表示される。
但し、図８（Ａ）（Ｂ）の例では、広告枠に空きのあるＤＳが青色の代わりに一点鎖線の丸記号で示され、空きのないＤＳが灰色の代わりに点線の丸記号で示される。
【００８０】
地域地図（「ＤＳ選択マップ」とも言う）を見た広告主（ＳＡ）は、宣伝広告を表示（又は掲載）したい１つ以上のＤＳ記号をクリックして、広告先となるＤＳを選択する。選択されたＤＳ記号の色が、空きのあることを示す青色（一点鎖線）から選択されたことを示す赤色（実線）に変更される。これに併せて、広告主は、リスト表示領域２４３の広告時間欄に希望の広告時間を入力する。
広告主の操作に応じて、ステップ２７において、ＤＳ選択マップ上のＤＳが選択されたか否かが判断される。選択されたことが判断されると、ステップ２８において、選択されたＤＳ記号（図８（Ａ）では丸記号に「５」）が選択されたことを示す赤色（実線）に変更されて、ＤＳ選択マップ上に表示される。ステップ２９において、選択されたＤＳの設置者情報がリスト記憶領域２４３に登録されて、配信対象となるＤＳ番号（５）がリスト表示領域２４３に表示される。その後ステップ２７へ戻る。
【００８１】
前述のステップ２７において、ＤＳ選択マップ上のＤＳが選択されてないことが判断されると、ステップ３０において配信対象ＤＳリストの広告時間が変更（又は選択）されたか否かが判断される。広告時間が変更された場合は、ステップ３１において、合計広告料金が再計算されて、配信対象ＤＳリストの下方の合計広告料金欄に表示される。その後ステップ２７へ戻る。
一方、ステップ２７においてＤＳ選択マップ上のＤＳが選択されず、ステップ３０において広告時間の変更等のないことが判断された場合は、ステップ３２においてリスト表示領域２４３の下方に表示されている「次」ボタンが押されたか否かが判断される。「次」ボタンの押されたことが判断された場合は、ステップ６０において広告配信決済サブルーチン処理（図１４参照）へ進む。
【００８２】
また、ステップ３２において、リスト表示領域２４３の「次」ボタンの押されていないことが判断されると、ステップ３３において「戻る」ボタンが押されたか否かが判断される。「戻る」ボタンが押されていない場合はステップ２７へ戻り、ステップ２７，３０，３２，３３の処理を繰り返して、何れかのボタンが操作されるのを待つ。
そして、２つ又は２つ以上の広告を配信すべきＤＳが選択されると、上述のステップ２７〜３３の処理が繰り返される。２つのＤＳが選択された場合の表示状態が図８（Ｂ）に示される。
このようにして、広告主の操作によって、広告配信すべき１つ以上のＤＳの選択とその選択に伴う広告時間等の入力に応じた処理が行われる。
なお、前述のステップ３３において、「戻る」が押されたことを判断した場合はステップ２１へ戻り、ＤＳ選択のやり直しのあった後に「検索」ボタンが押されるのを待つ。
【００８３】
（広告主による送信先ＤＳ選択後の広告配信決済処理）
次に、図１４及び図９を参照して、広告主が自己の電子広告を表示したい数のＤＳを選択した後、広告配信決済処理する場合の動作を説明する。
前述のステップ３２において、「次」ボタンが押されたことを判断した場合は、次のステップ６０において広告配信決済処理のサブルーチン（図１４）が実行される。
始めに、ステップ６１において、ＣＰＵ２１１が配信サーバー１０から広告配信対象リストを取得して、ステップ６２以降の処理を実行する。ステップ６２において、既に配信された又は追加配信の対象となるＤＳがあるか否かが判断される。既配信又は追加配信の対象となるＤＳがない場合は、ステップ６３において、「広告配信対象ＤＳリストがありません」のメッセージが画面に表示される。
【００８４】
一方、既配信又は追加配信対象となるＤＳのある場合は、ステップ６４〜ステップ７１において、広告配信決済処理が行われる。
すなわち、ステップ６４において、図９に示す広告配信決済画面が液晶表示器２４に表示される。具体的には、画面が左右に２分割されて、左画面には広告配信対象ＤＳリスト２４４が表示され、右画面にはＤＳ情報２４５が表示される。このとき、既に配信したＤＳがあるときはそれを上段に表示し、新たに追加されたＤＳを下段に表示するものとする。
ステップ６５において、追加した配信対象のＤＳ情報が右画面に表示される。ステップ６６において、左画面に表示されている配信対象ＤＳリストの配信欄に、チェックマークの変更があるか否かが判断される。変更がある場合は、ステップ６７において広告配信対象ＤＳリストの既配信広告料金合計および追加配信広告合計がそれぞれ計算されて表示されるとともに、両者の合計広告料金が再計算されて合計広告料金欄に表示される。
【００８５】
また、ステップ６６においてチェックマークに変更のないことが判断された場合は、ステップ６８において、ＤＳ情報ウインドウの広告時間が変更されたか否かが判断される。変更された場合は、同様にして、ステップ６７において広告料金が計算される。
ステップ６８において、広告時間が変更されていない場合は、ステップ６９において広告配信対象ＤＳリストの確定ボタンが押されたか否かが判断される。確定ボタンの押されていないことが判断されると、ステップ７０において、広告配信対象ＤＳリストの「戻る」ボタンが押されたか否かが判断される。「戻る」ボタンが押されていない場合はステップ６６へ戻り、ステップ６６〜７０の処理が繰り返される。
一方、ステップ６９において「確定」ボタンの押されたことが判断された場合は、ステップ７１において、更新された広告配信対象ＤＳリストが配信サーバー１０へ送信される。その後、広告端末装置側の一連の動作を終了する。
【００８６】
このように、広告主が電子広告すべきＤＳ（又は設置者）を自ら選択する際に、広告配信決済画面において広告料金を表示することにより、広告主にとっては宣伝広告の予算枠を考慮しつつ配信先を選択することができ、宣伝広告予算の超過を招くことを防止できる利点もある。
【００８７】
再び配信サーバー１０のメインルーチン（図１１）に戻って、ステップ８において、広告配信開始予定時刻のＸ分前であることが判断された場合は、ステップ８０において広告スケジュールの作成処理（図１５）が実行され、ステップ１００において広告振分処理が実行された後、ステップ１０〜１４の広告配信処理が順次実行される。
【００８８】
（広告スケジュールの作成処理）
次に、図１５及び図３を参照して、広告スケジュールの作成処理の動作を説明する。
この実施例では、広告スケジュールの作成処理が広告配信処理の開始予定時刻のＸ分前に行われるものと定められる。そして、ステップ８において、広告配信開始予定時刻のＸ分前であることが判断されると、広告スケジュールの作成処理サブルーチン（ステップ８０；図１５）へ進む。
ステップ８１において、ＣＰＵ１１内部のレジスタＲｓおよびレジスタＲｄに数値「１」がそれぞれストアされる。ここで、レジスタＲｓは広告主別フォルダ１２１に含まれる記憶領域１２１Ａ〜１２１Ｎの何れを読み出すかを指定するレジスタであり、レジスタＲｄは、送信先別フォルダ１２２に含まれる記憶領域１２２ａ〜１２２ｍの何れに書き込むかを指定するレジスタである。
始めは、レジスタＲｓ及びレジスタＲｄにそれぞれ「１」がストアされることにより、記憶領域１２１Ａに登録されている電子広告情報について、ＤＳ１へ送信する必要性の有無が判断され、必要に応じて記憶領域１２２ａに書き込まれる（複製される）ことになる。
【００８９】
ステップ８２において、設置者情報記憶部１２４の中から、レジスタＲｄで指定されるＤＳ番号に対応する設置者情報が読み出される。ステップ８３において、広告主別フォルダ１２１のうちレジスタＲｓで指定される広告主（始めはＳＡ）の広告スケジュールが読み込まれる。そして、ステップ８４において、当該広告主の広告スケジュールに問題がないか否かが判断される。ここでいう「広告スケジュールの問題」の有無の判断は、例えば広告主の業種が設置者の拒否業種に該当するか、広告主の指定した時間帯が営業時間外か、又は広告主の指定した曜日（又は月日）が休業日か等をチェックして、問題があれば配信を制限するためである。
もし、問題のないことが判断されれば、次のステップ８５において、当該広告主（ＳＡ）の広告スケジュールが記憶領域１２１Ａから読み出されて、レジスタＲｄで指定されるＤＳ番号に対応の広告スケジュール（図３参照）に追加される。この広告スケジュール（設置者側のもの）は、例えば広告主（ＳＡ）の広告Ａ−１（同じ広告主の広告が複数ある場合はＡ−１〜Ａ−ｎの何れか）をどの広告スロットのときに表示するかを決めるものである。
続くステップ８６において、全ての広告主の広告スケジュールのチェックが完了したか否かが判断される。完了していない場合は、ステップ８７へ進み、レジスタＲｓの値に数値「１」が加算されて、次の広告主（ＳＢ）の広告スケジュールのチェック処理が行われる。その後ステップ８３へ戻る。
なお、前述のステップ８４において、広告スケジュールに問題の有ることが判断された場合も、ステップ８７を経て、ステップ８３へ戻る。
上述のようにして、ステップ８３〜８７の処理が繰り返されることにより、レジスタＲｄの値で指定されるＤＳに配信すべき広告スケジュールがチェックされるとともに、作成処理が行われる。
【００９０】
そして、前述のステップ８６において、全ての広告主の広告スケジュールのチェックを完了したことが判断されると、ステップ８８において、全てのＤＳの広告スケジュールの作成を完了したか否かが判断される。全てのＤＳの広告スケジュールの作成が完了していなければ、ステップ８９へ進む。ステップ８９において、レジスタＲｄの値に数値「１」が加算された後、ステップ８２へ戻ることより、次のＤＳ番号の広告スケジュールの作成処理へと進む。
前述のステップ８２〜８７または８２〜８６，８８，８９の処理が繰り返されることにより、全てのＤＳについて広告スケジュールのチェックと作成処理が実行される。
その後、ステップ８８において、全てのＤＳの広告スケジュールの作成の完了したことが判断されると、次のステップ９０において、広告配信開始予定時刻がＴ時間後に設定変更される。これによって、スケジュール作成処理を終了し、メインルーチンの処理へ戻る（すなわち次のＳ１００へ進む）。
【００９１】
（配信サーバーによる広告振分処理）
次に、図１６を参照して、配信サーバー１０が広告振分処理を行う場合を説明する。
この処理は、広告主別フォルダ１２１の各記憶領域１２１Ａ〜１２１Ｎに記憶されている各広告主別の電子広告情報を、送信先別フォルダ１２２のＤＳ（設置者）別に振分ける処理である。この振分処理は、広告配信処理の開始前に完了している必要があるので、この実施例では広告配信処理の開始予定時刻のＸ分前であって、広告スケジュールの作成処理後に行うものと定めている。
先ず、ステップ１０１において、ＣＰＵ１１の内部レジスタＲｓ及びレジスタＲｄに数値「１」がそれぞれ書き込まれる。これによって、広告主ＳＡが電子広告ＡをＤＳ１に表示することを選択している場合の広告振分処理が開始される。
ステップ１０２において、広告主別フォルダ１２１の記憶領域１２１Ａに登録されている、レジスタＲｓで指定される広告主（始めはＳＡ）の広告スケジュールが読み込まれる。ステップ１０３において、レジスタＲｄで指定されるＤＳ１の設置者情報に含まれる広告枠情報が読み出されるとともに、設置者別フォルダ１２２の記憶領域１２２Ａに登録されている広告スケジュールが読み込まれる。
ステップ１０４において、レジスタＲｓで指定される広告主（ＳＡ）の広告スケジュールに、レジスタＲｄで指定されるＤＳ１の選択があるか否かが判断される。ＤＳ１が選択されている場合は、ステップ１０５において、当該ＤＳ１の広告枠に空きがあるか否かが判断される。この判断は、広告主端末装置側でＤＳ１の広告枠の空きの数以上に選択された場合の保護のためである。
広告枠に空きのある場合は、ステップ１０６において、レジスタＲｓで指定される広告主の電子広告Ａが、送信先別フォルダ１２２に含まれる記憶領域１２２ａ〜１２２ｍのうち、レジスタＲｄで指定される記憶領域（１２２ａ）へ複製される。
【００９２】
ステップ１０７において、レジスタＲｄの値が最大数（ｍ）か否か、すなわち全てのＤＳについて配信すべき広告の有無の判断が完了したか否かが判断される。全てのＤＳについて電子広告の配信の有無が判断されていない場合は、ステップ１０８において、レジスタＲｄの値に数値「１」が加算されて、次のＤＳ（２番目のＤＳ２）を指定した後、ステップ１０３へ戻る。
ステップ１０３〜１０８の処理が繰り返されることにより、全てのＤＳについて、配信すべき広告が広告主別フォルダ１２１に含まれる広告主ＳＡに対応する記憶領域（１２１Ａ）にあるか否かが判断される。
そして、広告主（ＳＡ）の広告の振分が全てのＤＳ３０ａ〜３０ｍについて完了すると、ステップ１０７においてそのことが判断されて、ステップ１０９へ進む。ステップ１０９において、全ての広告主の振分け処理が終了したか否かが判断される。このとき、レジスタＲｓの値が広告主の最大数（Ｎ）でない場合は、全ての広告主の振分処理が終了していないため、ステップ１１０へ進む。ステップ１１０において、レジスタＲｓの値に数値「１」が加算されて、次に広告を振分けるべき広告主（ＳＢ）に対応する記憶領域１２１Ｂが選択される。その後ステップ１０２へ戻る。
そして、ステップ１０２〜ステップ１０９の処理が繰り返されることにより、２番目の広告主（ＳＢ）の広告が各ＤＳに対応する送信先別フォルダ１２２の各記憶領域に振分けられることになる。
このようにして、全ての広告主（ＳＡ〜ＳＮ）の電子広告情報が広告主によって選択された各ＤＳ３０ａ〜３０ｍに振分けされた後、前述のステップ１０９においてそのことが判断されて、メインルーチン（Ｓ９）へ戻る。
【００９３】
（電子広告情報の配信処理）
次に、図１１を参照して、配信サーバー１０が広告配信処理を行う場合を説明する。
広告振分処理の終了後のステップ９において、広告配信開始時刻になったことが判断されると、次のステップ１０へ進む。ステップ１０において、レジスタＲｄに送信先のＤＳ番号（始めは数値「１」）が書き込まれる。ここで、レジスタＲｄは、広告配信処理のときに、送信先のＤＳを指定するレジスタとして用いられる。
ステップ１１において、レジスタＲｄの値で指定されるＤＳに対して受信可能か否かの問合せが行われる。問合せたＤＳ１（３０ａ）が受信可能である旨の応答があった場合は、送信先別フォルダ１２２に含まれる当該ＤＳ１に対応する記憶領域（始めは１２２ａ）内の１つ又は２以上の電子広告情報が配信される。
ステップ１２において、レジスタＲｄの値に「１」が加算されて、次に広告配信処理を行うＤＳ２が指定される。続くステップ１３において、全てのＤＳについて電子広告を配信済か否かが判断される。全てのＤＳに対して広告配信を完了していない場合は、ステップ１４において、レジスタＲｄに広告未送信のＤＳ番号を登録しておき、ステップ１１へ戻る。そして、ステップ１１〜１４の処理を繰り返すことにより、当該ＤＳ番号のＤＳが受信可能な状態になるのを待つ。
一方、配信対象となるＤＳの数だけステップ１１〜１４（但し、ＤＳｍのときは１〜１３）の処理を繰り返すと、ステップ１３において全てのＤＳに対して広告を配信完了したことが判断される。その後ステップ１へ戻る。これによって、配信サーバー１０による広告配信処理が終了する。
【００９４】
（各案内表示装置による電子広告ダウンロード処理及び表示処理）
次に、図１７を参照して、各ＤＳが電子広告をダウンロードする場合及び表示処理する場合の動作を説明する。
ステップ１２１において、各ＤＳのＣＰＵ３１１は、次のサイクルの広告表示の開始予定時刻の所定時間（Ｙ分）前か否かを判断し、Ｙ分前でない場合はステップ１２１で待機している。
ステップ１２１において、Ｙ分前であることが判断されると、ステップ１２２へ進む。ステップ１２２において、配信サーバー１０に対して電子広告の送信要求（リクエスト信号）を送り、配信サーバー１０が記憶領域１２２Ａに登録（振分処理）されているＤＳ１に配信すべき電子広告情報をＤＳ１へ送信する。これに応答して、ＤＳ３０ａのＣＰＵ３１１が電子広告情報をダウンロードする。
ステップ１２３において、ダウンロード中に受信エラーが生じていないか否かが判断される。この受信エラーの有無の判断は、広告スケジュールに記載されている複数の電子広告情報の全てを受信しているか否かに基づいて行われる。
エラーが生じていない場合は、ステップ１２４において広告スケジュールを含む電子広告情報が案内表示装置３０ａに取り込まれ、当該電子広告情報がメモリ３３に含まれる広告コンテンツ記憶領域３３２に格納される。
【００９５】
ステップ１２５において、ダウンロードした広告スケジュールに基づいて、図１０に示すような表示スケジュールが作成される。ここで、表示スケジュールの作成は、配信サーバー１０から受信した広告スケジュール（図３の広告スロットと広告番号の付いた表）に基づいて、図１０に示すような表示のためのスケジュール表を作成するものである。
すなわち、案内コンテンツ記憶領域３３１に記憶している各番組と広告コンテンツ記憶領域３３２に記憶している広告主別の電子広告情報のうち、案内情報の表示順序を定めたどの番組番号の後のどのスロットにどの広告を割り当てるかを決めて、番組と電子広告を交互に表示するための表示順序を定める。このようにして、液晶表示器３４に表示すべき表示内容（番組番号，電子広告の種類）とその表示順序が決定される。
【００９６】
次のステップ１２６において、広告表示開始予定時刻になったか否かが判断される。広告予定開始時刻でない場合はステップ１２６において待機している。
なお、前述のステップ１２３において、ダウンロード中にエラーが生じた場合は、ステップ１２７においてダウンロードエラーの回数が所定値（例えば１０）以上か否かが判断される。所定値以下の場合はステップ１２２へ戻り、再度ダウンロード処理が実行される。
また、所定回数のダウンロードを行ってもエラーを解消できない場合は、ステップ１２８において、エラーレポートが配信サーバー１０へ送信される。ステップ１２９において、表示スケジュールが「無広告パターン」（すなわち、番組のみで、広告スロット無の表示モード）に変更される。これによって、ダウンロードエラーが発生した場合に広告スケジュールに基づかない広告表示を中止して、広告主に迷惑をかけないようにしている。その後ステップ１２６へ進む。
【００９７】
そして、ステップ１２６において、広告表示開始予定時刻になったことが判断されると、ステップ１３０へ進む。ステップ１３０において、ＣＰＵ３１１が画像処理ユニット３１２に対して、先に作成した表示スケジュールに基づいて表示処理を実行する旨の命令を発生する。
これに応じて、画像処理ユニット３１２は、表示スケジュールに定められた順序でＤＳ設置者固有の案内のための番組と電子広告を交互に表示するために、案内コンテンツ記憶領域３３１と広告コンテンツ記憶領域３３２の読出しを制御して、案内情報または電子広告情報を交互に読出し、その読み出した情報をビットマップ形式の表示データに変換して、画像又はテキスト等として液晶表示器３４に表示させる。
【００９８】
その後、ＣＰＵ３１１は表示処理に関与することなく、ステップ１３１において、広告配信開始予定時刻をＴ時間後に変更した後、ステップ１２１へ戻り、次の表示サイクルの予定時刻のＹ分前まで待機するか、別の処理を行う。ここで、別の処理の例としては、画像処理ユニット３１２が広告表示しているときの広告表示履歴の作成等を行う。このように、広告表示履歴を作成する場合、ＣＰＵ３１１は広告表示履歴データを記憶領域３３４に蓄積しておき、所定のタイミングで配信サーバー１０へ送信する。
配信サーバー１０では、各ＤＳ３０ａ〜３０ｍから送信される広告表示履歴データを表示履歴記憶部１２６に設置者別に格納しておき、定期的に広告主別の広告表示結果の報告書（レポート）を作成し、広告主に報告しても良い。
【００９９】
なお、上述の実施例では、画像処理ユニット３１２による案内情報の番組と電子広告の表示態様が、時分割的に表示する場合を説明したが、これに代えて次のような表示形態を採用してもよい。
例えば、液晶表示器３４で表示される画面を左右（又は上下）に分割して、表示領域分割（又は空間分割）により、ウインドウを異ならせて表示しても良い。
また、電子広告のデータフォーマットがテキスト（文字）のみの場合は、画面の下方に帯状のテキスト表示領域を確保して、テキスト形式の広告文をスクロール表示させ、残りの画面領域に案内の番組を並行して表示させてもよい。
【産業上の利用可能性】
【０１００】
この発明は、案内装置（ＤＳ）を設置している設置者の業種および／または広告主と設置者との地理的関係を考慮して、広告主自身がどのＤＳに電子広告を表示させるかを選択することが可能となり、広告主が宣伝広告効果の高いと考えるターゲット層のいるＤＳに対して電子広告を掲載することができ、電子広告表示システムとして産業上の利用性が高い。
【符号の説明】
【０１０１】
１０      …  電子広告配信装置（配信サーバー）
１１      …  ＣＰＵ（第３の処理手段）
１２，２２，３３  …  メモリ（ＨＤＤ，フラッシュメモリ等）
１２１    …  広告主別フォルダ（第４の記憶手段）
１２２    …  送信先別フォルダ（第５の記憶手段）
１２３    …  広告主情報記憶部（第７の記憶手段）
１２４    …  設置者情報記憶部（第３の記憶手段）
１２５    …  地図情報記憶部（第６の記憶手段）
１２６    …  設置者別表示履歴記憶部
１３，３２…  プログラム記憶用メモリ
１４      …  ＲＡＭ
１５      …  送受信部
２０Ａ〜２０Ｎ  …  広告主端末装置（パソコン又はタブレット若しくはスマートフォン）
２１            …  処理ユニット（第２の処理手段）
２１１，３１１  …  ＣＰＵ
２１２，３１２  …  画像処理ユニット
２１３，３１３  …  ＲＡＭ
２２１，３３１  …  プログラム記憶領域
２２２  …  地図データ記憶領域
２２３  …  検索結果格納領域
２２４  …  広告配信対象ＤＳリスト記憶領域
２３    …  操作入力部
２４    …  液晶表示器（第２の表示手段）
３０ａ〜３０ｍ  …  案内表示装置（略称「ＤＳ」）
３１    …  処理ユニット（第１の処理手段）
３２    …  プログラムメモリ（ＲＯＭ）
３３１  …  案内コンテンツ記憶領域（第１の記憶手段）
３３２  …  広告コンテンツ記憶領域（第２の記憶手段）
３３３  …  表示スケジュール記憶領域
３３４  …  広告表示履歴記憶領域
３３５  …  その他の記憶領域
３４    …  液晶表示器（第１の表示手段）
【手続補正２】
【補正対象書類名】特許請求の範囲
【補正対象項目名】全文
【補正方法】変更
【補正の内容】
【特許請求の範囲】
【請求項１】
少なくとも、複数の案内表示装置と、複数の広告主端末装置と、複数の広告主端末装置および複数の案内表示装置がネットワークを介して接続される電子広告配信装置とから構成され、広告主から依頼された電子広告を配信して各案内表示装置に表示させるための電子広告表示システムであって、
前記複数の案内表示装置のそれぞれは、多数の人達が集まる場所に設置されかつ少なくとも設置者に関連する案内情報を表示するものであって、
供給される表示情報を表示するための第１の表示手段、
設置者に関連する案内情報を記憶する第１の記憶手段、
少なくとも配信された電子広告情報を記憶する第２の記憶手段、
前記第１の記憶手段に記憶されている案内情報および前記第２の記憶手段に記憶されている電子広告情報のうちの少なくとも一方を表示情報として前記第１の表示手段に供給し表示させる第１の処理手段を備え、
前記複数の広告主端末装置のそれぞれは、
その操作によって、前記複数の案内表示装置のうち、電子広告を表示させたい広告先となる少なくとも１つの案内表示装置を選択する操作手段、
少なくとも、広告先の選択に関する広告先関連情報を表示するための第２の表示手段、
前記操作手段によって入力された広告先の選択に関する情報を、前記ネットワークを介して前記電子広告配信装置へ送信するとともに、前記電子広告配信装置から送信された広告先を選択する際に参照される参照情報を前記第２の表示手段に表示させる第２の処理手段を備え、
前記電子広告配信装置は、
設置者別に、少なくとも設置者の名称と業種と地域に関する情報ならびに広告枠情報を記憶する第３の記憶手段、
複数の広告主のそれぞれに対応する記憶領域を含み、各広告主の電子広告情報を対応する記憶領域に記憶する第４の記憶手段、
前記複数の案内表示装置のそれぞれに対応する記憶領域を含み、各案内表示装置へ配信すべき電子広告情報を対応する記憶領域に記憶する第５の記憶手段、
少なくとも、前記ネットワークを介して前記複数の広告主端末装置または前記複数の案内表示装置との間で送受信するとともに、前記第５の記憶手段に記憶されている少なくとも電子広告情報を送信先となる案内表示装置へ送信処理する第３の処理手段を備えた、電子広告表示システム。
【請求項２】
前記各広告主端末装置の第２の処理手段は、前記操作手段の操作によって設置者を絞込むための条件として設置者の業種と地理的条件のうちの少なくとも１つを指定する絞込み条件情報が入力されたとき、当該絞込み条件情報を前記電子広告配信装置へ送信し、
前記電子広告配信装置の第３の処理手段は、或る前記広告主端末装置から絞込み条件情報が送信されたとき、当該絞込み条件情報に基づいて、前記第３の記憶手段に記憶されている複数の設置者の中から前記広告枠の空きがありかつ当該絞込み条件情報に含まれる１つ以上の設置者を選択して、当該設置者名を当該広告主端末装置へ送信する、請求項１に記載の電子広告表示システム。
【請求項３】
前記広告主端末装置の第２の処理手段は、受信した設置者名を前記第２の表示手段に表示させ、前記操作手段の操作によって１つ以上の設置者が選択されたことに応答して、当該選択された設置者名を前記電子広告配信装置へ送信し、
前記電子広告配信装置の第３の処理手段は、或る前記広告主端末装置から選択された設置者名が送信されたとき、当該広告主に対応して前記第４の記憶手段に記憶されている電子広告情報を前記第５の記憶手段の当該設置者に対応する記憶領域へ複製し、各広告主端末装置による送信先の選択が完了した後に、前記第５の記憶手段のそれぞれの送信先別の記憶領域に記憶されている各広告主の電子広告情報を対応する案内表示装置へ送信し、
前記複数の案内表示装置のうちの電子広告情報を受信した案内表示装置の第１の処理手段は、受信した電子広告情報を前記第２の記憶手段へ書込む、請求項２に記載の電子広告表示システム。
【請求項４】
前記広告主端末装置の第２の処理手段は、受信した設置者名を前記第２の表示手段に表示させ、前記操作手段の操作によって１つ以上の設置者が選択されたことに応答して、当該選択された設置者名を前記電子広告配信装置へ送信し、
前記電子広告配信装置の第３の処理手段は、或る前記広告主端末装置から選択された設置者名が送信されたとき、当該広告主に対応して前記第４の記憶手段に記憶されている電子広告情報を示す検索情報として前記第５の記憶手段の当該設置者に対応する記憶領域へ記録し、各広告主端末装置による送信先の選択が完了した後に、前記第５の記憶手段のそれぞれの送信先別の記憶領域に記憶されている各広告主の電子広告情報の検索情報が示す第４の記憶手段の各広告主の電子広告情報を対応する案内表示装置へ送信し、
前記複数の案内表示装置のうちの電子広告情報を受信した案内表示装置の第１の処理手段は、受信した電子広告情報を前記第２の記憶手段へ書込む、請求項２に記載の電子広告表示システム。
【請求項５】
前記操作手段は、その操作によって、前記設置者の絞込み条件として地理的条件を入力するものであり、
前記各広告主端末装置の第２の処理手段は、前記各広告主端末装置の前記操作手段の操作によって設置者の地理的条件が入力されたとき、当該地理的条件を前記電子広告配信装置へ送信し、
前記電子広告配信装置の第３の処理手段は、或る前記広告主端末装置から地理的条件が送信されたとき、当該地理的条件に基づいて、前記第３の記憶手段に記憶されている設置者の中から前記広告枠の空きがあり、地理的条件に含まれる地域内の１つ以上の設置者名を抽出して、当該設置者名及び当該設置者の地域情報を当該広告主端末装置へ送信し、
前記広告主端末装置の第２の処理手段は、受信した当該設置者名及び地域情報を前記第２の表示手段に表示させることを特徴とする、請求項１に記載の電子広告表示システム。
【請求項６】
前記電子広告配信装置は、広告主と設置者の位置関係を示す地図情報を記憶する第６の記憶手段を含み、
前記電子広告配信装置の第３の処理手段は、設置者の地域情報に基づいて前記第６の記憶手段に記憶されている地図情報の中から広告主および設置者を含む範囲の一部地域の地図情報を抽出し、前記１つ以上の設置者名及び一部地域の地図情報を当該広告主端末装置へ送信し、
前記広告主端末装置の第２の処理手段は、地図上に、受信した１つ以上の設置者の位置を前記第２の表示手段に表示させることを特徴とする、請求項５に記載の電子広告表示システム。
【請求項７】
前記各広告主端末装置の第２の処理手段は、前記操作手段の操作によって設置者の絞込み条件として業種を指定する業種指定情報が入力されたとき、当該業種指定情報を前記電子広告配信装置へ送信し、
前記電子広告配信装置の第３の処理手段は、或る前記広告主端末装置から設置者の業種指定情報が送信されたとき、当該設置者の業種指定情報に基づいて、前記第３の記憶手段に記憶されている設置者情報の中から前記広告枠の空きがあり、業種指定情報に含まれる業種に対応する１つ以上の設置者を抽出して、当該１つ以上の設置者名を当該広告主端末装置へ送信し、
前記広告主端末装置の第２の処理手段は、受信した当該１つ以上の設置者名を前記第２の表示手段に表示させることを特徴とする、請求項１に記載の電子広告表示システム。
【請求項８】
前記電子広告配信装置は、広告主別に、少なくとも広告主の名称と業種と地域に関する情報を記憶する第７の記憶手段をさらに備え、
前記第３の記憶手段は、設置者別に電子広告を拒否する広告主の業種情報をさらに記憶し、
前記電子広告配信装置の第３の処理手段は、或る前記広告主端末装置から業種指定情報が送信されたとき、前記第７の記憶手段に記憶されている広告主別の業種情報を参照して、当該業種指定情報に含まれる業種の１つ以上の設置者名を選択する際に、広告主の業種情報が前記第３の記憶手段に記憶されている設置者別の電子広告を拒否する業種情報と一致するか否かを判断し、一致したとき広告先の選択対象から当該設置者を除外する処理を行うことを特徴とする、請求項１ないし請求項６のいずれかに記載の電子広告表示システム。
【請求項９】
前記電子広告配信装置の第３の処理手段は、或る前記広告主端末装置から電子広告を表示すべき設置者を選択する情報が送信されたとき、前記第３の記憶手段に記憶されている当該設置者に対応する広告枠情報を所定数だけ減分して、広告枠空き情報として更新記憶させることを特徴とする、請求項１に記載の電子広告表示システム。
【請求項１０】
前記電子広告配信装置の第３の処理手段は、各広告主端末装置による送信先の選択が完了した後に、前記第５の記憶手段の各記憶領域に記憶されている前記各案内表示装置へ配信すべき１つ以上の広告主の電子広告情報に基づいて、それぞれの案内表示装置において当該電子広告の広告番号と表示させたい時間帯を指定する広告スケジュールを作成して、当該案内表示装置に対応する記憶領域に記憶させ、各記憶領域に記憶されている案内表示装置別の電子広告情報と広告スケジュールを対応する案内表示装置へ送信することを特徴とする、請求項１に記載の電子広告表示システム。
【請求項１１】
前記複数の案内表示装置のうちの電子広告情報と広告スケジュールを受信した案内表示装置の第１の処理手段は、受信した広告スケジュールと、前記第１の記憶手段に記憶されている案内情報の表示時間の長さに基づいて、案内情報と１つ以上の電子広告情報とを組み合わせて表示する際の表示スケジュールを作成し、作成した表示スケジュールに基づいて第１の記憶手段と前記第２の記憶手段の読出しタイミングを制御して、表示スケジュールに則して案内情報と電子広告情報を前記第１の表示手段に供給することを特徴とする、請求項１０に記載の電子広告表示システム。
【請求項１２】
前記操作手段は、その操作によって、絞り込まれた前記設置者別の複数の電子広告を表示すべき広告時間帯を指定するものであり、
前記各広告主端末装置の第２の処理手段は、前記操作手段の操作によって絞り込まれた前記設置者別の広告時間帯を、前記第２の表示手段に表示させるともに、前記電子広告配信装置へ送信して前記第５の記憶手段に登録されている前記各案内表示装置へ配信すべき複数の電子広告情報に関連して登録させ、
前記電子広告配信装置の第３の処理手段は、前記第５の記憶手段に登録されている前記各案内表示装置別の複数の電子広告情報と当該電子広告情報を表示すべき広告時間帯情報に基づいて、各案内表示装置別の広告スケジュールを作成し、当該広告スケジュールと少なくとも１つの電子広告情報とを対応する案内表示装置へ送信し、
前記各案内表示装置の第１の処理手段は、受信した広告スケジュールに基づいて表示すべき広告時間であって表示すべき電子広告情報を前記第１の表示手段に表示させることを特徴とする、請求項１に記載の電子広告表示システム。
【請求項１３】
前記操作手段は、第２の表示手段に表示された１つ以上の設置者の中から、電子広告の配信対象となる１つ以上の設置者を指定するとともに、指定した設置者別の広告時間を指定するものであり、
前記各広告主端末装置の第２の処理手段は、前記操作手段によって配信対象となる設置者が指定されかつ広告時間が指定される毎に、広告料金を計算して、当該広告料金を前記第２の表示手段に表示させる、請求項７に記載の電子広告表示システム。

【手続補正３】
【補正対象書類名】図面
【補正対象項目名】図６
【補正方法】変更
【補正の内容】
【図６】
2015176204.tif 000001